(57)【要約】【課題】横竿の長手方向における１箇所で複数のロック機構を操作することができるようにし、使用時及び収納時の作業を簡略化する。【解決手段】ロック機構７の係止ピン３２Ａはケーブル３３Ａにより、ロック機構８の係止ピン３２Ｂはケーブル３３Ｂにより操作部材３０に連結されている。操作部材３０は、竿部２の一箇所に露出して備えられている。ケーブル３３Ａ及び３３Ｂは、中空パイプからなる横竿１１、縦竿２１，２２の内部に収納されている。操作部材３０が操作されると、ケーブル３３Ａ及び３３Ｂが操作部材３０側に引っ張られ、係止ピン３２Ａ，３２Ｂがスリット円板３１Ａ，３１Ｂのスリットに係合しなくなる。これによって、竿部２の位置の固定が解除され、竿部２は所定の角度範囲内で自由に回転することができる。【選択図】図３
2006346013.tif 000002
【特許請求の範囲】
【請求項１】
中空パイプからなる少なくとも１本の横竿と、それぞれの第１の端部が前記横竿の長手方向における２箇所において前記横竿の内部に連通して連結された中空パイプからなる少なくとも２本の縦竿と、前記少なくとも２本の縦竿のそれぞれの第２の端部を前記横竿に平行な軸回りに所定の角度範囲において軸支する少なくとも２個の支持部材と、前記少なくとも２個の支持部材のそれぞれにおいて前記少なくとも２本の縦竿を略垂直となる収納位置を含む複数の回転位置のそれぞれにおいて選択的に固定する少なくとも２個の第１のロック機構と、前記少なくとも１本の横竿及び前記少なくとも２本の縦竿における少なくとも１箇所に配置された第１の操作部材と、前記少なくとも１本の横竿及び前記少なくとも２本の縦竿の内部を経由して前記操作部材の操作を前記少なくとも２個の第１のロック機構に対して縦竿の固定を解除する方向に伝達する第１のケーブルと、を備えたことを特徴とする物干し装置。
【請求項２】
前記少なくとも２個の支持部材のそれぞれを上下方向の所定範囲に昇降自在に保持する少なくとも２個の保持部材と、前記少なくとも２個の保持部材のそれぞれにおいて前記少なくとも２個の支持部材のそれぞれを上下方向における複数の昇降位置のそれぞれにおいて選択的に固定する少なくとも２個の第２のロック機構と、前記少なくとも１本の横竿及び前記少なくとも２本の縦竿の少なくとも１箇所に配置された第２の操作部材と、前記少なくとも１本の横竿及び前記少なくとも２本の縦竿の内部を経由して前記第２の操作部材の操作を前記少なくとも２個の第２のロック機構に前記支持部材の固定を解除する方向に伝達する第２のケーブルと、をさらに備えたことを特徴とする請求項１に記載の物干し装置。
【請求項３】
太陽光を受光して発電する太陽電池と、前記太陽電池において発生した電力を蓄える蓄電池と、をさらに備え、
前記２本の縦竿又は前記横竿の長手方向の少なくとも１部は、内部に前記蓄電池を電源とする光源を備えるとともに、周面を透光部材によって構成したことを特徴とする請求項１又は２に記載の物干し装置。
【請求項４】
前記２本の縦竿又は前記横竿は、周面を前記透光部材によって構成した長手方向の少なくとも１部を着脱自在に備え、この部分に前記蓄電池を収納することを特徴とする請求項３に記載の物干し装置。
【請求項５】
前記第１の操作部材又は前記第２の操作部材は、前記蓄電池を電源とする電動アクチュエータと、前記電動アクチュエータと前記蓄電池との間の電源回路を開閉するスイッチと、をさらに備えたことを特徴とする請求項３に記載の物干し装置。
【発明の詳細な説明】
【技術分野】
【０００１】
この発明は、マンション等の住居のベランダに取り付けて使用される物干し装置に関する。
【背景技術】
【０００２】
住居のベランダを物干しスペースとして使用する場合に、洗濯物を干さない時の外観上の体裁を良好にし、かつベランダスペースを有効に活用すべく、ベランダの外壁の内側面に固定する可倒式の竿受け具を備えた物干し装置が用いられている。従来の物干し装置は、ベランダの外壁の内側面に固定された支持部材に物干し竿を保持する竿受け具を回転自在に支持している。洗濯物を干す時には、竿受け具をベランダの外壁に直交する位置にして、竿受け具の上面に物干し竿を保持させる。洗濯物を干さない時には、竿受け具の上面から物干し竿を外して竿受け具をベランダの外壁に平行となる位置に回転させる。
【０００３】
ところが、可倒式の竿受け具を備えた物干し装置では、竿受け具と物干し竿が別々に構成されているため、竿受け具の上面に対して物干し竿を着脱する作業が煩雑になる。
【０００４】
そこで、ベランダ手摺における所定の高さ位置に長手方向に沿って設けられる横竿と、横竿の下方に連なってベランダ手摺の高さ方向に設けられる縦竿と、前記ベランダ手摺の下部またはその隣接位置に設けられ、縦竿をベランダ内側に回動可能に支持する支持具と、ベランダ手摺に縦竿または横竿を脱着自在に留める留め具と、留め具から縦竿または横竿を開放したときに、縦竿が垂直手摺材に対し所定の傾斜角をもって保持されるように、縦竿または横竿とベランダ手摺とを結ぶ吊り具と、を備えたベランダ用物干し装置が提案されている(例えば、特許文献１参照。）。
【特許文献１】特開２０００−２４５９９９号公報
【発明の開示】
【発明が解決しようとする課題】
【０００５】
しかしながら、物干し装置では、所定の長さを有する物干し竿や横竿を左右２箇所において支持する必要があり、竿受け具や横竿を洗濯物を干す時の使用位置と洗濯物を干さない時の収納位置との２箇所で選択的に固定するためには、左右２箇所のそれぞれにロック機構を備える必要がある。
【０００６】
このため、洗濯物を干す時に竿受け具や横竿を収納位置から使用位置に変位させる際、及び、洗濯物を干さない時に竿受け具や横竿を使用位置から収納位置に変位させる際に、左右２箇所において２個のロック機構を操作する必要があり、作業が煩雑になる問題がある。
【０００７】
特に、特許文献１に開示されている構成のように、物干し竿としての横竿を一体に備えた物干し装置では、洗濯物を干す時には、左右２箇所においてロック機構を解除した後、横竿を縦竿とともに使用位置まで回転させて一方のロック機構を固定し、さらに、他方へ移動して他方のロック機構を固定しなければならず、横竿の長さの範囲を往復する必要がある。
【０００８】
また、物干し竿や横竿の上下位置を調整できるようにするためには、竿受け具や横竿を上下方向の複数の位置に選択的に固定できるようにしなければならず、このためにも左右２箇所のそれぞれにロック機構が必要で、合計４個のロック機構を備えなければならない。この場合には、竿受け具や横竿を収納位置から使用位置に変位させる際、及び、使用位置から収納位置に変位させる際に、左右２箇所において合計４個のロック機構を操作する必要があり、作業がさらに煩雑になる。
【０００９】
この発明の目的は、横竿の長手方向における１箇所で複数のロック機構を操作することができるようにし、使用時及び収納時の作業を簡略化することができる物干し装置を提供することにある。
【００１０】
また、この発明の別の目的は、太陽光によって発電した電力を用いてベランダにおける照明を行うことができる物干し装置を提供することにある。
【課題を解決するための手段】
【００１１】
この発明は、上記の課題を解決するための手段として、以下の構成を備えたものである。
【００１２】
（１）中空パイプからなる少なくとも１本の横竿と、それぞれの第１の端部が前記横竿の長手方向における２箇所において前記横竿の内部に連通して連結された中空パイプからなる少なくとも２本の縦竿と、前記少なくとも２本の縦竿のそれぞれの第２の端部を前記横竿に平行な軸回りに所定の角度範囲において軸支する少なくとも２個の支持部材と、前記少なくとも２個の支持部材のそれぞれにおいて前記少なくとも２本の縦竿を略垂直となる収納位置を含む複数の回転位置のそれぞれにおいて選択的に固定する少なくとも２個の第１のロック機構と、前記少なくとも１本の横竿及び前記少なくとも２本の縦竿における少なくとも１箇所に配置された第１の操作部材と、前記少なくとも１本の横竿及び前記少なくとも２本の縦竿の内部を経由して前記操作部材の操作を前記少なくとも２個の第１のロック機構に対して縦竿の固定を解除する方向に伝達する第１のケーブルと、を備えたことを特徴とする。
【００１３】
この構成においては、少なくとも１本の横竿に第１の端部が連結された少なくとも２本の縦竿が、第２の端部を支点として横竿に平行な軸回りに所定の角度範囲において回転自在にされ、略垂直となる収納位置を含む複数の回転位置のそれぞれにおいて第１のロック機構を介して選択的に固定される。第１のロック機構には、横竿及び縦竿における少なくとも１箇所に配置された第１の操作部材の操作が、横竿及び縦竿の内部に収納された第１のケーブルを介して伝達される。
【００１４】
したがって、複数の第１のロック機構が単一の第１の操作部材のみの操作によって縦竿の固定を解除するように動作し、横竿とともに縦竿を回転させる際に、複数の第１のロック機構のそれぞれを個別に動作させる必要がない。また、第１の操作部材の操作を第１のロック機構に伝達する第１のケーブルは、横竿及び縦竿の内部に収納されているため、外観が煩雑になること及び洗濯物を干す際の障害となることがない。
【００１５】
（２）前記少なくとも２個の支持部材のそれぞれを上下方向の所定範囲に昇降自在に保持する少なくとも２個の保持部材と、前記少なくとも２個の保持部材のそれぞれにおいて前記少なくとも２個の支持部材のそれぞれを上下方向における複数の昇降位置のそれぞれにおいて選択的に固定する少なくとも２個の第２のロック機構と、前記少なくとも１本の横竿及び前記少なくとも２本の縦竿の少なくとも１箇所に配置された第２の操作部材と、前記少なくとも１本の横竿及び前記少なくとも２本の縦竿の内部を経由して前記第２の操作部材の操作を前記少なくとも２個の第２のロック機構に前記支持部材の固定を解除する方向に伝達する第２のケーブルと、をさらに備えたことを特徴とする。
【００１６】
この構成においては、横竿に第１の端部が連結された縦竿のそれぞれの第２の端部を軸支する支持部材が上下方向の所定範囲に昇降自在にされ、複数の昇降位置のそれぞれにおいて第２のロック機構を介して選択的に固定される。第２のロック機構には、横竿及び縦竿における少なくとも１箇所に配置された第２の操作部材の操作が、横竿及び縦竿の内部に収納された第２のケーブルを介して伝達される。
【００１７】
したがって、複数の第２のロック機構が単一の第２の操作部材のみの操作によって支持部材の固定を解除するように動作し、支持部材を昇降させる際に、複数の第２のロック機構のそれぞれを個別に動作させる必要がない。また、第２の操作部材の操作を第２のロック機構に伝達する第２のケーブルは、横竿及び縦竿の内部に収納されているため、外観が煩雑になること及び洗濯物を干す際の障害となることがない。
【００１８】
（３）太陽光を受光して発電する太陽電池と、前記太陽電池において発生した電力を蓄える蓄電池と、をさらに備え、
前記少なくとも１本の横竿及び前記少なくとも２本の縦竿の長手方向の少なくとも１部は、内部に前記蓄電池を電源とする光源を備えるとともに、周面を透光部材によって構成したことを特徴とする。
【００１９】
この構成においては、横竿及び縦竿の長手方向の一部の周面が透光部材によって構成されるとともに、その内部に備えられた光源に蓄電池を介して太陽電池において発生した電力が供給される。したがって、外部から電力を供給することなく、横竿又は縦竿の一部から透光部材を経由して光源の光が外部に照射される。
【００２０】
（４）前記少なくとも１本の横竿及び前記少なくとも２本の縦竿は、周面を前記透光部材によって構成した長手方向の少なくとも１部を着脱自在に備え、この部分に前記蓄電池を収納することを特徴とする。
【００２１】
この構成においては、周面が透光部材によって構成されるとともに内部に光源及び蓄電池を収納した長手方向の一部が横竿又は横竿に着脱自在にされる。したがって、横竿又は縦竿の長手方向の一部は、他の部分から分離した状態でも、外部から電力を供給することなく、横竿又は縦竿の一部から透光部材を経由して光源の光が外部に照射される。
【００２２】
（５）前記第１の操作部材又は前記第２の操作部材は、前記蓄電池を電源とする電動アクチュエータと、前記電動アクチュエータと前記蓄電池との間の電源回路を開閉するスイッチと、をさらに備えたことを特徴とする。
【００２３】
この構成においては、第１の操作部材又は第２の操作部材が、スイッチによって開閉される電源回路を介して太陽電池において発生した電力が蓄電池から供給される電動アクチュエータによって動作する。したがって、第１のロック機構又は第２のロック機構が、外部から電力を供給することなく、スイッチ操作に基づいて電動で動作する。
【発明の効果】
【００２４】
この発明は、上記の構成によって以下の効果を奏するものである。
【００２５】
（１）複数の第１のロック機構を、単一の第１の操作部材のみの操作によって縦竿の固定を解除するように動作させることができる。これによって、横竿とともに縦竿を回転させる際に、複数の第１のロック機構のそれぞれを個別に動作させる必要がなく、使用時及び収納時の作業を簡略化することができる。また、第１の操作部材の操作を第１のロック機構に伝達する第１のケーブルを横竿及び縦竿の内部に収納することにより、外観を簡潔に構成することができるとともに、安全かつ容易に洗濯物を干すことができる。
【００２６】
（２）複数の第２のロック機構を、単一の第２の操作部材のみの操作によって支持部材の固定を解除するように動作させることができる。これによって、支持部材を昇降させる際に、複数の第２のロック機構のそれぞれを個別に動作させる必要がなく、使用時及び収納時の作業を簡略化することができる。また、第２の操作部材の操作を第２のロック機構に伝達する第２のケーブルを横竿及び縦竿の内部に収納することにより、外観を簡潔に構成することができるとともに、安全かつ容易に洗濯物を干すことができる。
【００２７】
（３）外部から電力を供給することなく、横竿又は縦竿の一部において透光部材を経由して光源の光を外部に照射することができ、設置場所近傍の照明を行うことができる。
【００２８】
（４）外部から電力を供給することなく、他の部分から分離した横竿又は縦竿の一部において透光部材を経由して光源の光を外部に照射することができる。これによって、横竿又は縦竿の一部を非常時等の照明器具として使用することができる。
【００２９】
（５）第１のロック機構又は第２のロック機構を、外部から電力を供給することなく、スイッチ操作に基づいて電動で動作させることができる。
【発明を実施するための最良の形態】
【００３０】
図１（Ａ）は、この発明の第１の実施形態に係る物干し装置１の使用時の正面図である。図１（Ｂ）は、同左側面図である。図１（Ｃ）は、同平面図である。図２（Ａ）は同物干し装置１の収納時の正面図である。図２（Ｂ）は、同左側面図である。この発明の第１の実施形態に係る示す物干し装置１は、洗濯物が干される竿部２と、竿部２を所定の角度範囲内において軸支する支持部材３，４と、支持部材３，４のそれぞれを上下方向の所定範囲内に昇降自在に保持する保持部材５，６と、から構成されている。
【００３１】
竿部２は、互いに平行な４本の横竿１１，１２，１３，１４のそれぞれの左右端に、互いに平行な２本の縦竿２１，２２を連結して構成されている。４本の横竿１１，１２，１３，１４のうち、少なくとも縦竿２１，２２の第１の端部２１Ａ，２２Ａに連結された横竿１１、及び、２本の縦竿２１，２２は、いずれも樹脂製又は金属製の中空バイプによって構成されている。
【００３２】
支持部材３，４は、それぞれ竿部２の縦竿２１，２２の背面側の端部である第２の端部２１Ｂ，２２Ｂを横竿１１，１２，１３，１４に平行な軸回りに軸支する。支持部材３，４のそれぞれには、竿部２を複数の回転位置のそれぞれにおいて選択的に固定する第１のロック機構７，８が備えられている。保持部材５，６は、いずれもベランダ等の壁面２０の内側面に固定されており、それぞれ支持部材３，４を昇降自在に保持する。保持部材５，６のそれぞれには、支持部材３，４を複数の昇降位置のそれぞれにおいて選択的に固定する第２のロック機構９，１０が備えられている。なお、ロック機構７，８，９，１０については後述する。
【００３３】
竿部２の横竿１１，１２，１３，１４に洗濯物が干される物干し装置１の使用時には、図１に示すように、竿部２を略水平となる位置まで回転させた後、第１のロック機構７，８によって竿部２をこの位置に固定する。竿部２の横竿１１，１２，１３，１４に洗濯物が干されない物干し装置１の収納時には、図２に示すように、竿部２を略垂直となる位置まで回転させた後、第１のロック機構７，８によって竿部２をこの位置に固定する。したがって、支持部材３，４は、前述の所定の角度範囲として竿部２を少なくとも９０度の角度範囲において回転自在に支持している
また、支持部材３，４は保持部材５，６によって所定範囲内に昇降自在にされているため、支持部材３，４を図１又は図２に示す状態から竿部２とともに上方に移動させることができる。図１に示す状態から竿部２を上方に移動させることにより、竿部２に干された洗濯物を４光及び外気に十分に晒すことができる。
【００３４】
ただし、保持部材５，６は、物干し装置１において必須の構成ではなく、支持部材３，４を壁面２０の内側面に直接固定するようにして保持部材５，６を省略することができる。
【００３５】
さらに、支持部材３，４又は保持部材５，６は、必ずしも壁面２０の内側面に固定する必要はない。支持部材３，４又は保持部材５，６を下方に延長して床面に安定に載置された土台に下端部を固定することで、壁面２０の内側面に対する支持部材３，４又は保持部材５，６の固定を不要にできる。
【００３６】
図３は、上記物干し装置１に備えられるロック機構７，８，９，１０の構成を示す概略図である。左側の第１のロック機構７は、スリット円板３１Ａと係止ピン３２Ａとからなる。スリット円板３１Ａは、周囲に一定の間隔で複数のスリットが形成されており、左側の支持部材３において竿部２を軸支する軸と同心状に固定されている。係止ピン３２Ａは、竿部２における左側の縦竿２１の第２の端部２１Ｂに、スリット円板３１Ａの半径方向のみに移動自在に備えられている。
【００３７】
係止ピン３２Ａは、コイルスプリング等の弾性部材の弾性力によってスリット円板３１Ａの回転中心に向けて付勢されおり、スリット円板３１Ａのいずれかのスリットに嵌入している。係止ピン３２Ａがスリット円板３１Ａの何れかのスリットに嵌入することにより、そのスリットが形成されているスリット円板３１Ａにおける角度位置に対応した位置に竿部２が固定される。
【００３８】
右側のロック機構８は、左側のロック機構７と同様に構成されているため説明を省略するが、ロック機構８のスリット円板３１Ｂは、右側の支持部材４に固定されている。また、ロック機構８の係止ピン３２Ｂは、竿部２における右側の縦竿２２の第２の端部２２Ｂに備えられている。
【００３９】
左側のロック機構７の係止ピン３２Ａは、ケーブル３３Ａによって操作部材３０に連結されている。右側のロック機構８の係止ピン３２Ｂは、ケーブル３３Ｂによって操作部材３０に連結されている。操作部材３０は、竿部２における横竿１１、縦竿２１，２２のうちの少なくとも一箇所に露出して備えられている。ケーブル３３Ａ及び３３Ｂは、中空パイプからなる横竿１１、縦竿２１，２２の内部に収納されている。操作部材３０が操作されると、ケーブル３３Ａ及び３３Ｂが操作部材３０側に引っ張られ、係止ピン３２Ａ，３２Ｂがスリット円板３１Ａ，３１Ｂのスリットに係合しなくなる。これによって、竿部２の位置の固定が解除され、竿部２は所定の角度範囲内で自由に回転することができる。
【００４０】
以上の構成により、単一の操作部材３０を操作することで竿部２に対する左右のロック機構７，８による回転位置の固定を解除することができる。これによって、竿部２を使用時の位置と収納時の位置との間で回転させる際に左右のロック機構７，８を別々に操作する必要がなく、作業を容易かつ短時間で行うことができる。
【００４１】
なお、図４に示すように、操作部材３０に、電動アクチュエータとしてのソレノイド３４、電源３５及びスイッチ３６を備え、ソレノイド３４に対して電源３５を供給する回路をスイッチ３６によって閉成することで、ロック機構７，８による竿部２の回転位置の固定を解除するようにしてもよい。
【００４２】
また、支持部材３，４における竿部２の軸支部に、例えばギヤードモータ等の回転手段を電源及びスイッチとともに備え、スイッチ操作によって回転手段に電源を供給して竿部２を自動的に回転させるようにしてもよい。この場合には、ロック機構７，８の固定を解除する電動アクチュエータも連動させる。
【００４３】
左側の第２のロック機構９は、ラックギア４１Ａとラックギア４２Ａとからなる。ラックギア４１Ａは、左側の保持部材５に固定されている。ラックギア４２Ａは、左側の支持部材３においてラックギア４１Ａに接離する方向にのみ移動自在にされている。ラックギア４２Ａは、コイルスプリング等の弾性部材の弾性力によってラックギア４１Ａに向けて付勢されおり、一部のギアがラックギア４１Ａに噛合している。ラックギア４１Ａに噛合する一部のギアのラックギア４２Ａにおける上下方向の位置に対応した位置に支持部材３が固定される。
【００４４】
右側のロック機構１０は、左側のロック機構９と同様に構成されているため説明を省略するが、ロック機構１０の回転板３１Ｂは、竿部２における右側の縦竿２２の第２の端部２２Ｂに固定されている。また、ロック機構１０の係止ピン３２Ｂは、右側の支持部材４に備えられている。
【００４５】
左側のロック機構９のラックギア４２Ａは、ケーブル４３Ａによって操作部材４０に連結されている。右側のロック機構１０のラックギア４２Ｂは、ケーブル４３Ｂによって操作部材４０に連結されている。操作部材４０は、竿部２における横竿１１、縦竿２１，２２のうちの少なくとも一箇所に露出して備えられている。ケーブル４３Ａ及び４３Ｂは、中空パイプからなる横竿１１、縦竿２１，２２の内部に収納されている。操作部材４０が操作されると、ケーブル４３Ａ及び４３Ｂが操作部材４０側に引っ張られ、ラックギア４２Ａ，４２Ｂがラックギア４１Ａ，４１Ｂに噛合しなくなる。これによって、支持部材３，４の位置の固定が解除され、支持部材３，４は所定の範囲内で自由に昇降することができる。
【００４６】
以上の構成により、単一の操作部材４０を操作することで左右の支持部材３，４に対する左右のロック機構９，１０による上下方向の位置の固定を解除することができる。これによって、竿部２の高さを調整する際に左右のロック機構９，１０を別々に操作する必要がなく、作業を容易かつ短時間で行うことができる。
【００４７】
なお、ケーブル３３Ａ，３３Ｂ及びケーブル４３Ａ，４３Ｂをそれぞれ連続して構成し、横竿１１及び縦竿２１，２２における２箇所以上に操作部材３０及び４０のそれぞれを配置してもよい。例えば、縦竿２１，２２のそれぞれに１個ずつの操作部材３０及び４０を備えることで、物干し装置１の設置場所に応じて、物干し装置１の左側又は右側の何れか一方で竿部２を任意の回転位置及び上下位置に変位させることができる。
【００４８】
また、前述のように、物干し装置１において保持部材５，６は必須ではないため、保持部材５，６を省略した場合には、ロック機構９，１０、操作部材４０及びケーブル４３Ａ，４３Ｂを備える必要はない。
【００４９】
さらに、図４に示した電動アクチュエータとしてのソレノイド３４を電源３５及びスイッチ３６とともに操作部材４０に備えることもできる。
【００５０】
また、保持部材５，６における竿部２の軸支部に、出力軸にピニオンギアを固定したモータを電源及びスイッチとともに備え、ピニオンギアをラックギア４２Ａ，４２Ｂに噛合させ、スイッチ操作によってモータに電源を供給して支持部材３，４を自動的に昇降させるようにしてもよい。この場合には、モータの回転時に、ロック機構９，１０の固定を解除する電動アクチュエータも連動して動作させる。
【００５１】
図５（Ａ）は、この発明の第２の実施形態に係る物干し装置１０１のにおける操作部材３０の別の構成を示す図である。図５（Ｂ）は、同物干し装置１０１の要部の断面図である。この実施形態に係る物干し装置１０１は、上記の物干し装置１における竿部２に代えて竿部１０２を備えており、その他の構成は物干し装置１と同様である。
【００５２】
竿部１０２は、互いに平行な４本の横竿１１１，１１２，１１３，１１４のそれぞれの左右端に、互いに平行な２本の縦竿１２１，１２２を連結して構成されている。横竿１１２、及び、２本の縦竿１２１，１２２は、いずれも樹脂製又は金属製の中空バイプによって構成されている。前述のケーブル３３Ａ，３３Ｂ及びケーブル４３Ａ，４３Ｂは、横竿１１２、及び、２本の縦竿１２１，１２２の内部に収納されている。
【００５３】
横竿１１１は、左右の端部１１１Ａ，１１１Ｂ及び中間部１１１Ｃによって構成されている。中間部１１１Ｃは、長手方向の全域にわたって少なくとも周面の一部が透光部材１３１によって構成された筒状を呈している。中間部１１１Ｃの内部には、少なくとも照明制御回路を含む回路部１３２、及び照明制御回路を介して電源が供給されるＬＥＤ１３３が収納されている。ＬＥＤ１３３は、この発明の光源である。
【００５４】
横竿１１３と横竿１１４との間には、太陽電池１４１が配置されている。竿部２を構成する横竿１１１，１１２，１１３，１１４及び縦竿１２１，１２２の何れかには、蓄電池及び充放電制御回路が収納されている。蓄電池及び充放電制御回路は、太陽電池１４１において発生した電力を蓄電池に蓄える。前述の照明制御回路は、蓄電池に蓄えられた電力をＬＥＤ１３３に供給する。
【００５５】
この構成により、昼間において洗濯物を干すために竿部１０２を略水平にした使用時の状態で、太陽光を受光する太陽電池１４１において発生した電力を蓄電池に蓄えておき、夜間には蓄電池の電力をＬＥＤ１３３に供給することにより、図６（Ａ）に示すように竿部１０２が収納時の状態で、透光部材１３１を透過したＬＥＤ１３３の光によって物干し装置１０１が設置されているベランダ等を照明することができる。
【００５６】
なお、図５（Ｃ）に示すように、蓄電池及び充放電制御回路を中間部１１１Ｃに収納するとともに、中間部１１１Ｃの両端部にスリップリング等の電源伝達部材１４２を備えることにより、竿部１０２において中間部１１１Ｃを着脱自在に構成することもできる。これによって、竿部１０２から取り外した中間部１１１Ｃを、停電時や災害時等における非常用の可搬型ライトとして使用することができる。
【００５７】
また、竿部１０２において中間部１１１Ｃを回転自在に備えることにより、例えば、図６（Ｂ）に示すように竿部１０２が使用時の状態でベランダを照明することもでき、図６（Ｃ），（Ｄ）に示すように、物干し装置１０１を建築照明に使用することもできる。図６（Ｃ）は建物の壁面を照明する状態であり、図６（Ｄ）は壁面２０が透光材料によって構成されている場合の使用状態を示している。
【００５８】
さらに、洗濯物の乾燥に適した竿部１０２の角度と発電に適した太陽電池１４１の角度とは必ずしも一致しない。また、竿部１０２に洗濯物を干さない時にも太陽電池１４１による発電を行うべきである。そこで、図７に示すように、太陽電池１４１を竿部１０２とは別々に支持部材３，４に軸支し、竿部１０２と異なる角度で太陽電池１４１を配置できるようにしてもよい。
【００５９】
また、図４に示したソレノイド３４等の電動アクチュエータ、及び、竿部２又は支持部材３，４を電動動作させるためのモータ等の電源３５として、太陽電池１４１において発生した電力を蓄えた蓄電池を用いることもできる。
【００６０】
図８は、建築照明を行うシステムに適用される物干し装置１０１の制御部の構成を示すブロック図である。制御部２００は、ＣＰＵボード２０１に充放電制御回路２０２、ＬＥＤドライバ２０４、センサ２０５、ユーザインタフェース２０６、ソレノイド３４Ａ，３４Ｂ、リミッタ３７、ソレノイド４４Ａ，４４Ｂ、リミッタ４７、モータドライバ２１１，２２１及びエンコーダ２１２，２２２等を接続して構成されている。
【００６１】
充放電制御回路２０２は、太陽電池１４１において発生した電力を蓄電池２０３に充電するとともに、蓄電池２０３の電力をＣＰＵボード２０１及びソレノイド３４Ａ等の負荷機器に供給する。ＬＥＤドライバ２０４には、各色のＬＥＤ１３３Ａ〜１３３Ｆが接続されている。ＬＥＤドライバ２０４は、ＣＰＵボード２０１から出力される駆動データに基づいて各ＬＥＤ１３３Ａ〜１３３Ｆを選択的に駆動する。ＣＰＵボード２０１は、ユーザインタフェース２０６における操作データに基づいて作成したＬＥＤの駆動データを、センサ２０５が検出した外部光量に基づいて決定したタイミングで出力する。
【００６２】
ソレノイド３４Ａ，３４Ｂは、この発明の電動アクチュエータであり、スイッチ３６の開閉操作又はＣＰＵボード２０１から出力される駆動データに基づいて、竿部１０２の回転位置を固定する第１のロック機構７，８の係合ピン３２Ａ，３２Ｂをスリット円板３１Ａ，３１Ｂのスリットに選択的に嵌合させる。ＣＰＵボード２０１は、リミッタ３７の検出信号を参照してソレノイド３４Ａ，３４Ｂの駆動データを作成する。
【００６３】
ソレノイド４４Ａ，４４Ｂは、同じく電動アクチュエータであり、スイッチ４６の開閉操作又はＣＰＵボード２０１から出力される駆動データに基づいて、支持部材３，４の上下位置を固定する第２のロック機構９，１０のラックギア４２Ａ，４２Ｂをラックギア４１Ａ，４１Ｂに選択的に噛合させる。ＣＰＵボード２０１は、リミッタ４７の検出信号を参照してソレノイド４４Ａ，４４Ｂの駆動データを作成する。
【００６４】
モータドライバ２１１は、スイッチ２１４の開閉操作又はＣＰＵボード２０１から出力される駆動データに基づいて、竿部２を回転させるギヤードモータ２１３を駆動する。ＣＰＵボード２０１は、エンコーダ２１２の検出信号に基づいてギヤードモータ２１３の駆動データを作成する。
【００６５】
モータドライバ２２１は、スイッチ２２４の開閉操作又はＣＰＵボード２０１から出力される駆動データに基づいて、支持部材３，４を昇降させるギヤードモータ２２３を駆動する。ＣＰＵボード２０１は、エンコーダ２２２の検出信号に基づいてギヤードモータ２２３の駆動データを作成する。
【００６６】
ＣＰＵボード２０１は、ユーザインタフェース２０６における操作データに基づいて、少なくともＬＥＤの駆動データを作成する。これによって、点灯させるべきＬＥＤを特定する情報をユーザインタフェース２０６において予め設定しておくことにより、外部光量が減少した日没後に所望の色の光でベランダ等を照明することができる。
【００６７】
このため、マンション等の集合住宅の各戸のベランダに物干し装置１０１を備え、各物干し装置１０１のＣＰＵボート２０１に統一感のある照明色を設定しておくことにより、集合住宅のベランダ側の壁面に均整化された光の建築照明を行うことができる。
【００６８】
また、ＣＰＵボート２０１にユーザインタフェース２０６を介して、ソレノイド３４Ａ，３４Ｂ、ソレノイド４４Ａ，４４Ｂ、ギヤードモータ２１３及びギヤードモータ２２３の駆動データ及び駆動タイミングを予め設定しておくことにより、各ベランダにおけるＬＥＤの高さや照明方向を統一的に変化させることができ、集合住宅のベランダ側の壁面に均整化された動きのある光の建築照明を行うことができる。
【００６９】
また、図９（Ａ）に示すように、ソレノイド３４Ａ，３４Ｂ、ソレノイド４４Ａ，４４Ｂ、ギヤードモータ２１３及びギヤードモータ２２３の動作内容を表す動作信号を各物干し装置１０１を特定する識別信号とともに暗号化するエンコーダ回路３１１、及び、暗号化された動作信号を識別信号とともに送信するトランスミッタモジュール３１２を備えたコントローラ３１０を準備する。
【００７０】
一方、各物干し装置１０１のＣＰＵボード２０１には、図９（Ｂ）に示すように、トランスミッタモジュール３１２が送信した動作信号及び識別信号を受信するレシーバモジュール３０２、並びに、受信した動作信号及び識別信号を復号化するデコーダ回路３０１を接続する。
【００７１】
この構成により、集合住宅のベランダ側の壁面における建築照明の状態を、外部から適宜変更することができる。例えば、集合住宅の各戸のベランダのそれぞれにおける照明状態を同調させ、集合住宅の全体として照明効果を演出するためのプログラムを実行することができる。
【００７２】
なお、建築照明の状態を内部から変更する場合には、図１０（Ａ）及び（Ｂ）に示すように、トランスミッタモジュール３１２に代えて暗号化した動作信号及び識別信号を商用電源に重畳する回路３１３をコントローラ３３０に備えるとともに、各物干し装置１０１のＣＰＵボード２０１にはレシーバモジュール３０２に代えて、動作信号及び識別信号を商用電源から分離する回路３０３を接続する。
【００７３】
また、図９（Ａ）及び（Ｂ）に示した構成を各物干し装置１０１に備えることにより、ベランダ等の屋外に設置された物干し装置１０１における竿部１０２の回転位置や上下位置を室内から遠隔操作できるようにしてもよい。
【図面の簡単な説明】
【００７４】
【図１】この発明の第１の実施形態に係る物干し装置１の使用時の正面図、左側面図及び平面図である。
【図２】同物干し装置１の収納時の正面図である。図２（Ｂ）は、同左側面図である。
【図３】同物干し装置１に備えられるロック機構７，８，９，１０の構成を示す概略図である。
【図４】物干し装置１に備えられる操作部材３０の一例を示す概略図である。
【図５】この発明の第２の実施形態に係る物干し装置１０１における操作部材３０の別の構成、及び、その要部の断面図である。
【図６】同物干し装置１０１の使用状態を示す図である。
【図７】上記第２の実施形態に係る物干し装置１０１の別の構成を示す側面図である。
【図８】建築照明を行うシステムに適用される物干し装置１０１の制御部の構成を示すブロック図である。
【図９】同システムに適用されるコントローラの構成及び物干し装置１０１の制御部の別の構成を示す図である。
【図１０】同システムに適用されるコントローラの別の構成及び物干し装置１０１の制御部のさらに別の構成を示す図である。
【符号の説明】
【００７５】
１  物干し装置
２  竿部
３，４  支持部材
５，６  保持部材
７，８  第１のロック機構
９，１０  第２のロック機構
１１〜１４  横竿
２１，２２  縦竿
３０  第１の操作部材
３３Ａ，３３Ｂ  第１のケーブル
４０  第２の操作部材
４３Ａ，４３Ｂ  第２のケーブル
【図１】
2006346013.tif 000003
【図２】
2006346013.tif 000004
【図３】
2006346013.tif 000005
【図４】
2006346013.tif 000006
【図５】
2006346013.tif 000007
【図６】
2006346013.tif 000008
【図７】
2006346013.tif 000009
【図８】
2006346013.tif 000010
【図９】
2006346013.tif 000011
【図１０】
2006346013.tif 000012